(57)【要約】【課題】釣り糸に取り付けた仕掛けをゆっくりと沈ませることができる制動器を備えている魚釣り用リールを提供する。【解決手段】釣り糸の繰出しに、釣り糸に加わる予定仕掛けの重力より小である弱制動力を加える弱制動器４００を備え、釣り糸の繰出しを減少させることができることを特徴とする魚釣り用リールを提供する。この魚釣り用リールは、釣り糸が巻きつけられ、正転されると釣り糸の繰戻しを行い、逆転されると釣り糸の繰出しを行うスプール５００が取り付けられている軸棒２００と、使用者の操作により軸棒２００に係合または離脱され、係合状態では釣り糸に破断をもたらす力量より小さい所定の強制動力を軸棒２００に与えることができる強制動器３００とを備え、強制動器３００が軸棒２００に係合されると、釣り糸が強制動力より大きい力量で引っ張られた場合にしか釣り糸が繰り出されないものである。【選択図】図３
2009159953.tif 000002
【特許請求の範囲】
【請求項１】
釣り糸の繰出しに、該釣り糸に加わる予定仕掛けの重力より小さい弱制動力を加えることが可能な弱制動器を備え、釣り糸の繰出しを減少させることができることを特徴とする魚釣り用リール。
【請求項２】
釣り糸が巻きつけられ、正転されると釣り糸の繰戻しを行い、逆転されると釣り糸の繰出しを行うスプールが取り付けられている軸棒と、
使用者の操作により前記軸棒に係合または離脱され、係合状態では釣り糸に破断をもたらす力量より小さい所定の強制動力を前記軸棒に与えることができる強制動器とを備え、
前記強制動器が前記軸棒に係合されると、釣り糸が前記強制動力より大きい力量で引っ張られた場合にしか釣り糸が繰り出されない魚釣り用リールにおいて、
使用者の操作により前記軸棒に係合または離脱され、係合状態では、釣り糸に加わる予定仕掛けの重力より小さい弱制動力を前記軸棒に与える弱制動器を設け、
前記弱制動器が前記軸棒に係合されると、釣り糸の前記予定仕掛けの重力による繰出しを減少させることができることを特徴とする魚釣り用リール。
【請求項３】
前記弱制動器は、使用者の操作により前記軸棒に係合されて前記軸棒と共に回転できるように設置されている第１の制動手段と、該第１の制動手段と摩擦により弱制動力を生じさせ、その弱制動力で前記第１の制動手段と前記軸棒との連動回転を減少させるように設置されている第２の制動手段とを備えていることを特徴とする請求項２に記載の魚釣り用リール。
【請求項４】
前記第２の制動手段は、制動調整ばねの付勢により前記第１の制動手段に押圧していることを特徴とする請求項３に記載の魚釣り用リール。
【請求項５】
一端面に突起が設けられており、他端面が前記制動調整ばねを介して前記第２の制動手段を前記第１の制動手段に押圧するように、前記軸棒の軸方向に沿って移動可能に取付けられている取付台と、
一側面にカム面が形成されるとともに、周縁の一部に一連の歯が形成されており、且つ、前記軸棒と同軸で回動し、回動中に前記カム面で前記制動調整ばねに抗しながら前記突起を押動するように取り付けられていて、その回転により前記取付台を前記軸棒の軸方向に沿って移動させることができるカムと、
前記カムの周縁に形成されている歯と噛み合っている歯車とを有し、
使用者が前記歯車を正逆回動させることにより、前記取付台を前記軸棒の軸方向に沿って移動させて前記制動調整ばねの前記第２の制動手段への付勢力を調整できる調整手段を更に備えていることを特徴とする請求項４に記載の魚釣り用リール。
【請求項６】
前記第１の制動手段と前記軸棒の間には、前記第１の制動手段を前記軸棒と共に回転させるように係合させるとともに、前記軸棒から離脱させることができる係合手段が介設されていることを特徴とする請求項４に記載の魚釣り用リール。
【請求項７】
前記係合手段は、
前記軸棒の軸線の方向に沿って移動することができるうえ、釣り糸の繰出しを行う逆転時のみ前記軸棒と共に回転するように構成され、前記軸棒の一端部の外周面に取り付けられている軸受けと、
前記軸受けの外周面に固定されていて、前記軸受けの移動に従って係合位置と解除位置の間を移動することができる第１の係合部と、
前記第１の制動手段に固定されていて、前記第１の係合部が前記係合位置に移動されると該第１の係合部と係合して、前記第１の係合部および前記軸受けと共に回転するようになり、前記第１の係合部が前記解除位置に移動されると該第１の係合部との係合が解除されて、前記第１の係合部および前記軸受けと共に回転しない第２の係合部と、
前記第２の係合部から前記軸棒の他端の方向へ延伸するように、前記軸棒の一端部を囲むキャップ部と、
両端がそれぞれ前記キャップ部と前記第１の係合部に当接し、前記第１の係合部を前記係合位置へ押圧するように付勢する戻しばねと、
前記軸受けの外周に巻かれていて、一端が前記第１の係合部に固定され、付勢力が前記戻しばねより強い緩衝ばねと、
外端面がリール外に露出した状態でリール内に差込まれ、前記軸棒の外周面に沿って延伸して内端面が前記緩衝ばねの他端に固定されており、前記外端面が使用者の操作により前記軸棒の他端方向へ押し込まれると、付勢力が前記戻しばねより強い前記緩衝ばねを介して、前記第１の係合部を係合位置から解除位置に押し込むことができる操作部と、
を備えていることを特徴とする請求項６に記載の魚釣り用リール。
【請求項８】
前記操作部が挿通される開口の周辺を囲む円環状の周壁を有するようにケースと一体的に形成される皿部と、
前記操作部の前記外端面の近くに設けられ、大径部と、該大径部から前記外端面の方向へ突出するように形成される小径部とを有し、外側に段差が形成されているスイッチブロックと、
略中心部に前記スイッチブロックが挿通可能な通孔が形成されるとともに、前記ケースの外側に面する表側に突起が形成され、前記皿部内に収容されている回転板と、
前記操作部を挿通させることができるとともに、前記ケースの外側から前記皿部を覆うことができるように円環状に形成されるうえ、前記皿部に面する裏側に、突出する押動ブロックが設けられるとともに、前記回転板の突起が差し込まれる円弧状のガイド溝が設けられているリングスイッチと、
一端が前記皿部内に固定され、他端が前記押動ブロックに固定されていて、前記リングスイッチを所定の方向に回転させるように付勢する少なくとも２つの回転ばねと、
を備えているスイッチ手段を更に含み、
前記第１の係合部を前記係合位置に押し込むまで前記操作部が押し込まれると、前記回転板が前記回転ばねの付勢力により動かされて、前記通孔の周縁が前記スイッチブロックの小径部に当接するとともに、該回転板の裏側が前記スイッチブロックの段差に当接して該スイッチブロックおよび前記操作部の前記ケース外への移動を阻止して、前記第１の係合部を前記解除位置に維持させることができ、
この状態で使用者が前記リングスイッチを回すと、該リングスイッチの円弧状のガイド溝が前記突起に介して前記回転板を回転させて、該回転板の裏側と前記スイッチブロックの段差の当接を解除し、前記戻しばねの付勢力により前記操作部を該ケースの外側へ押し出すとともに、前記第１の係合部を係合位置に戻すことができるように構成されていることを特徴とする請求項７に記載の魚釣り用リール。
【発明の詳細な説明】
【技術分野】
【０００１】
本発明は、魚釣り用リールに関し、特に、特殊な釣り方法に適用する魚釣り用リールに関する。
【背景技術】
【０００２】
魚釣り用リールには、釣り糸の破断を防ぐために、仕掛けに引っ掛った魚の張力に応じて釣り糸を少しずつ繰り出し、釣り糸に加わる過大な引張力を一時的に解消するようにスプールを制御する制動器を備えるのが通常である。
【０００３】
一方、かご釣りでは仕掛けをゆっくりと沈ませながら、仕掛けを揺らして魚を誘う技法がある。しかし、従来の制動器では、その制動力が魚の動きに対抗するものであるため、如何に調整しても、対抗するもの（負荷）が魚を誘う仕掛けの僅少な重力だけでは、釣り糸の繰り出しがきつく止められているので、釣り糸を少しずつ繰り出して仕掛けをゆっくりと沈ませることができない。よって、この技法を使う使用者はやむをえず、指で意図的に釣り糸の繰り出し量を調整しながら仕掛けを揺らすしかない。
【０００４】
しかし、この技法は、何回も行わなければならないことがあるので、指で釣り糸の繰り出しを調整する作業を何回も繰り返す必要があり、そのルーチン作業が極めて不便である。しかも、指で釣り糸を調整している際に、魚が突然仕掛けに引っ掛ると、手をリールの制御に戻すタイミングを逃す恐れがあるうえ、急に引張力が加わった釣り糸で指が切れて怪我する恐れがある。
【発明の開示】
【発明が解決しようとする課題】
【０００５】
従って、本発明は、釣り糸に取り付けた仕掛けをゆっくりと沈ませることができる制動器を備えている魚釣り用リールを提供することを目的とする。
【課題を解決するための手段】
【０００６】
上記目的を達成するため、本発明は、釣り糸の繰出しに、該釣り糸に加わる予定仕掛けの重力より小さい弱制動力を加えることが可能な弱制動器を備え、釣り糸の繰出しを減少させることができることを特徴とする魚釣り用リールを提供する。
【０００７】
具体的には、本発明は、釣り糸が巻きつけられ、正転されると釣り糸の繰戻しを行い、逆転されると釣り糸の繰出しを行うスプールが取り付けられている軸棒と、使用者の操作により前記軸棒に係合または離脱され、係合状態では釣り糸に破断をもたらす力量より小さい所定の強制動力を前記軸棒に与えることができる強制動器とを備え、前記強制動器が前記軸棒に係合されると、釣り糸が前記強制動力より大きい力量で引っ張られた場合にしか釣り糸が繰り出されない魚釣り用リールにおいて、使用者の操作により前記軸棒に係合または離脱され、係合状態では、釣り糸に加わる予定仕掛けの重力より小さい弱制動力を前記軸棒に与える弱制動器を設け、前記弱制動器が前記軸棒に係合されると、釣り糸の前記予定仕掛けの重力による繰出しを減少させることができることを特徴とする魚釣り用リールを提供する。
【発明の効果】
【０００８】
本発明の魚釣り用リールは、釣り糸の予定仕掛けの重力による繰出しを減少させることができる弱制動器を備えているので、釣り糸を指で直接調整することない。よって、少しずつ釣り糸を繰り出して仕掛けをゆっくりと沈ませながら魚を誘う技法を実行可能な魚釣り用リールを提供することができる。
【発明を実施するための最良の形態】
【０００９】
以下は図面を参照しながら、本発明の魚釣り用リールについて詳しく説明する。
【００１０】
図１は本発明の魚釣り用リールの正面図であり、図２はその側面図であり、図３は図２におけるIII−III線断面図である。
【００１１】
図１〜図３に示すように、本発明の魚釣り用リールは、リールケース１００と、釣り糸が巻きつけるスプール５００が取り付けられた軸棒２００と、釣り糸に強制動力を与える強制動器３００と、釣り糸に弱制動力を与える弱制動器４００とを備えている。軸棒２００は、正転や逆転により、スプール５００からの釣り糸の図１中Ｘ方向の繰戻しや繰出しを行うもので、軸線Ｌに沿って延伸してなる。強制動器３００は、使用者の操作により軸棒２００に掛けられる（係合する）ことができ、且つ、掛けられると、釣り糸が破断する力量より小さい所定の強制動力を軸棒２００に与えるものである。弱制動器４００は、同様に使用者の操作により軸棒２００に掛けられる（係合する）ことができ、且つ、掛けられると、釣り糸に加わる予定仕掛け（図示せず）の重力より小さい弱制動力を軸棒２００に与えるものである。
【００１２】
魚釣りの時、使用者が強制動器３００を使用すると、仕掛けに引っ掛った魚から強制動力より大きい力量で引っ張られた場合のみ、釣り糸を繰り出すように軸棒２００を制御する。これにより、仕掛けに引っ掛った魚と対抗しながら、釣り糸の破断を防ぐことができる。また、弱制動器４００を使用すると、釣り糸の仕掛けの重力による繰出しスピードを減速させることができる。
【００１３】
なお、ここでの仕掛けというのは、釣り糸の先端近傍に取り付けられ、魚を誘うための釣りかごや餌などを指している。
【００１４】
続いて、図３〜図６を用いて弱制動器４００の構成について詳しく説明する。図４は図２におけるIV−IV線に沿って切断した断面を示すもう一つの断面図であり、図５および図６はそれぞれ違う視点から見た分解斜視図である。
【００１５】
弱制動器４００は、使用時に軸棒２００と共に回転する第１の制動手段１１と、第１の制動手段１１と軸棒２００との連動回転を減速（減少）させる第２の制動手段１２と、第１の制動手段１１と軸棒２００との係合および離脱を制御する係合手段３０と、弱制動力の強さを調整する整手段２０と、これらをリールケース１００内に収容する収容手段２９と、係合手段３０を操作するためのスイッチ手段５０とを有している。具体的には、第１の制動手段１１は、係合手段３０によって軸棒２００に掛けられる（係合された）時だけ、軸棒２００と共に回転できるように構成されている。第２の制動手段１２は、第１の制動手段１１と対応する部分に制動ゴム１２１が設けられ、軸棒２００と連動する第１の制動手段１１に対して摩擦により弱制動力を生じさせ、この弱制動力で第１の制動手段１１と軸棒２００との連動回転を減速させるように構成されている。係合手段３０は、第１の制動手段１１と軸棒２００の間に介在するように配設され、第１の制動手段１１の軸棒２００への掛け／外し（係合および離脱）を制御するものである。調整手段２０は、第２の制動手段１２と第１の制動手段１１との間の摩擦力を調整することにより、弱制動力の強さを調整するものである。収容手段２９は、軸棒２００の一端（ハンドルと逆側）、第１，第２の制動手段１１，１２、係合手段３０、そして調整手段２０の一部をリールケース１００内の所定の位置に収容するためのものである。スイッチ手段５０は、係合手段３０の作動を、使用者により直接に制御できるようにするためのものである。
【００１６】
更に詳しく説明すると、係合手段３０は、軸受け３８と、第１の係合部３３と、第２の係合部３４と、キャップ部３５と、戻しばね３７と、緩衝ばね３６と、操作部３２と、を備えている。軸受け３８は、軸棒２００の軸線Ｌの方向に沿って移動することができるうえ、釣り糸の繰出しを行う逆転時のみ軸棒２００と共に回転するように構成されるもので、軸棒２００の一端部の外周面に取り付けられている。第１の係合部３３は、外周縁に多数の歯３３１を有する歯車として形成されている。この第１の係合部３３は、軸受け３８の外周面に固定され、軸受け３８の移動に従って係合位置と解除（離脱）位置との間を移動することができる。第２の係合部３４は、内周縁に多数の歯３４１を有する内歯歯車として形成されている。この第２の係合部３４は、第１の制動手段１１に固定され、第１の係合部３３が係合位置に移動されると、第１の係合部３３に対応して係合し、第１の係合部３３および軸受け３８と共に回転するようになる。また、第１の係合部３３が解除位置に移動されると、第１の係合部３３との係合が解除され、第１の係合部３３および軸受け３８と共に回転しないようになる。キャップ部３５は、第２の係合部３４から軸棒２００の他端（ハンドルの側）の方向へ延伸し、軸棒２００の一端部を囲むものである。戻しばね３７は、両端がそれぞれキャップ部３５と第１の係合部３３に当接し、第１の係合部３３を前記係合位置へ押圧するように付勢するものである。緩衝ばね３６は、軸受け３８の外周に巻かれていて、一端が第１の係合部３３に固定されている。この緩衝ばね３６の付勢力は、戻しばね３７の付勢力より強く設定されている。操作部３２は、リールケース１００内に差込んだ状態で配設され、ネジからなる外端面３１がリールケース１００外に露出した状態で配設される。この操作部３２は、軸棒２００の外周面に沿って延伸し、内端面が緩衝ばね３６の他端に固定されている。そして、外端面３１が使用者の操作により軸棒２００の他端方向（ハンドルの方向）へ押し込まれると、緩衝ばね３６の付勢力が戻しばね３７より強いため、第１の係合部３３を係合位置から解除位置に押し込むことができる。
【００１７】
調整手段２０については、図３〜図６の他に、図１１および図１２をも合わせて参照して説明する。図１１は図１におけるXI−XI線に沿って切断した断面図であり、図１２は図３に対応し、第２の制動手段１２の第１の制動手段１１との間の摩擦力が最も弱く調整された状態を示している。
【００１８】
調整手段２０は、取付台２５と、カム２４と、調整ノブ２２と、カムばね２８とを備えている。取付台２５は、軸棒２００の軸線Ｌ方向に沿って移動可能にリールケース１００内に取り付けられている。この取付台２５には、軸棒２００の一端側に位置する一端面に突起２５１が設けられている。また、取付台２５は、突起２５１と反対側の他端面が圧縮コイルばねからなる制動調整ばね２７を介して第２の制動手段１２に当接されている。そして、軸棒２００の軸線Ｌ方向に沿う位置の変位により、制動調整ばね２７によって第２の制動手段１２を第１の制動手段１１へ押し付ける付勢力を調整できるように構成している。カム２４は、軸棒２００と同軸に回動可能で、且つ、取付台２５の一端面側に配置されるように、リールケース１００内に取り付けられている。このカム２４には、取付台２５と対向する一側面に突起２５１に対応するカム面２４５を有する凹陥部２４３が形成されている。また、外周縁の一部には、一連の歯２４４が形成されている。これにより、カム２４の回動中に、カム面２４５によって制動調整ばね２７の付勢力に抗しながら突起２５１を押動できるように構成されている。そして、その回動により取付台２５を軸棒２００の軸線Ｌ方向に沿って移動させるように構成している。調整ノブ２２は、カム２４の周縁に形成されている歯２４４と噛み合う歯車２２２が形成されている。カムばね２８は、両端がそれぞれ第１の制動手段１１と取付台２５に当接され、取付台２５をカム２４へ押し付けるものである。
【００１９】
この構成により、使用者は調整ノブ２２によって歯車２２２を正逆回動させることにより、カム２４を正逆回動させ、取付台２５を軸棒２００の軸方向に沿って往復移動させて、制動調整ばね２７の第２の制動手段１２への付勢力を調整することができる。具体的には、取付台２５を第１の制動手段１１へ移動させると、制動調整ばね２７は圧縮されて第２の制動手段１２を第１の制動手段１１に強く押し付けて摩擦力を強くする。一方、図１２に示すように、取付台２５を第１の制動手段１１から離れるように移動させると、制動調整ばね２７は圧縮が緩まれて第２の制動手段１２を第１の制動手段１１に弱く押し付けて摩擦力を弱くすることができる。
【００２０】
収容手段２９は、取付台２５とカム２４の間に配置されている。そして、この収容手段２９は、突起２５１が貫通される孔２９４が設けられているプレート部２９１と、プレート部２９１の取付台２５に面する一面に、同心円状に突設される内、外フェンス部２９２，２９３とを有している。内フェンス部２９２は、軸棒２００の一端を囲むとともに、第２の係合部３４が固定ナット２９５によって固定されている。そして、内、外フェンス部２９２，２９３の間には、取付台２５と、制動調整ばね２７と、第２の制動手段１２とが配置されている。また、取付台２５と、制動調整ばね２７と、第２の制動手段１２とは、圧縮コイルばねである制動調整ばね２７を貫通する締め釘（リベット）２９０により連結されている。
【００２１】
スイッチ手段５０は、リールケース１００と一体的に形成される皿部１４０と、スイッチブロック５１と、回転板５２と、リングスイッチ５３と、少なくとも２つの回転ばね５４と、を備えている。皿部１４０は、リールケース１００における操作部３２が挿通される開口の周辺を囲む円環状の周壁を有するように形成されている。言い換えれば、皿部１４０は、リールケース１００に対して円形状に窪むように設けた凹部からなり、その中心に操作部３２を挿通させる開口が設けられている。スイッチブロック５１は、操作部３２の外端面３１の近くに設けられるもので、大径部５１１と、大径部５１１から外端面３１の方向へ突出するように形成される小径部５１２とを有し、これらによりリールケース１００の外側に面する段差５１３が形成されている。本実施形態では、大径部５１１が操作部３２に一体的に形成され、小径部５１２が別体の外端面３１に一体的に形成されている。そして、操作部３２に外端面３１を組み付けることにより、一体的な大径部５１１と小径部５１２とが形成され、その境界部分に段差５１３が形成されている。回転板５２は、略中心部にスイッチブロック５１を挿通可能な通孔５２１が形成され、リールケース１００の外側に面する表側に突起５２２が形成されたもので、皿部１４０内に収容されている。リングスイッチ５３は、操作部３２の外端面３１を挿通でき、且つ、リールケース１００の外側から皿部１４０を覆うことができるように円環状に形成されたものである。このリングスイッチ５３には、皿部１４０に面する裏側に、突出する押動ブロック５３１が設けられるとともに、回転板５２の突起５２２が差し込まれる円弧状のガイド溝５３２が設けられている。回転ばね５４は、リングスイッチ５３を所定の方向に回転させるように付勢するもので、一端が皿部１４０内に固定され、他端が押動ブロック５３１に固定されるように、皿部１４０内のばね収容部１６０に収容されている。
【００２２】
ちなみに、回転板５２に形成する通孔５２１の面積は、スイッチブロック５１の大径部５１１の断面より広く形成されている。そして、図４では、通孔５２１の内周縁が大径部５１１の外周面に当接している状態を示している。なお、リングスイッチ５３と回転板５２とは、直接接続するのではなく、円弧状のガイド溝５３２と突起５２２を介しているのは、リングスイッチ５３の敏感度を下げることによって誤作動を減らす効果があるためである。
【００２３】
続いて、図４および図７〜図１０を用いて弱制動器４００の作動方法について詳しく説明する。図７は弱制動器４００の効果が解除される状態を示す断面図で、図４に対応して同じ部分を切断した状態を示している。なお、図４に示す状態は、第１の係合部３３が係合位置に移動した状態を示し、以下ではこの状態を係合状態と称する。また、図７に示す状態は、第１の係合部３３が解除位置に移動した状態を示し、以下ではこの状態を解除状態と称する。図８〜図１０は、スイッチ手段５０の作動状態を示す説明図である。図８は図４に示す係合位置に対応し、図９は図７に示す解除位置に対応し、図１０は解除位置から係合位置に戻す操作方法を示している。
【００２４】
図４に示す状態から、操作部３２をリールケース１００内に押し込んで図７に示す状態とすると、第１の係合部３３と第２の係合部３４の係合が解除される。これにより、第２の係合部３４に取り付けられている第１の制動手段１１は軸棒２００と共に回転しなくなり、軸棒２００は制動手段からの制動力を受けずに自由に回転することができる。
【００２５】
また、図４の係合状態から図７の解除状態に切り替えられると、操作部３２がリールケース１００内に進入するため、操作部３２に取り付けられているスイッチブロック５１も共にリールケース１００内へ移動する。そのため、図８に示すように、スイッチブロック５１の大径部５１１の外周に当接していた回転板５２の通孔５２１の内周縁は、大径部５１１と当接できなくなる。また、回転ばね５４の付勢力より動かされるリングスイッチ５３の円弧状のガイド溝５３２と突起５２２の接触により、回転板５２の通孔５２１の内周縁は、小径部５１２と当接して、図９に示す状態となる。この状態で、操作部３２をリールケース１００内に押し込む力が無くなると、操作部３２は戻しばね３７の付勢力によりリールケース１００外へ押し戻されるが、スイッチブロック５１のリールケース１００の外側に面する段差５１３が回転板５２の裏側に当接するため、操作部３２が戻れなくなり、弱制動器４００は図７の解除状態に維持される。
【００２６】
この弱制動器４００を図７の解除状態から図４の係合状態の戻すには、図１０に示すように、リングスイッチ５３を回動操作によって行われる。具体的には、リングスイッチ５３を回転ばね５４の付勢力に抗して圧縮させるように回すと、回転板５２は、円弧状のガイド溝５３２と突起５２２の接触により動かされる。そして、通孔５２１の内周縁と小径部５１２との当接、および、回転板５２の裏側とスイッチブロック５１の段差５１３との当接が図１０に示すように解除されると、戻しばね３７の付勢力を阻むものがなくなるため、操作部３２はまた図４に示す位置に戻される。
【００２７】
そして、このように構成した本発明の魚釣り用リールは、弱制動器４００により釣り糸の予定仕掛けの重力による繰出しスピードを減速させることができる。よって、釣り糸を指で直接制御することなく、少しずつ繰り出して仕掛けをゆっくりと沈ませながら魚を誘う技法を実行することができる。即ち、弱制動器４００の弱制動力は、仕掛けを水中に沈めた状態で加わる重力より小さく設定している。
【図面の簡単な説明】
【００２８】
【図１】本発明に係る実施形態の魚釣り用リールの正面図である。
【図２】図１の魚釣り用リールの側面図である。
【図３】図２におけるIII−III線断面図である。
【図４】図２におけるIV−IV線断面図である。
【図５】一つの視点から見た分解図である。
【図６】他の視点から見た分解図である。
【図７】弱制動器による制動が解除された状態を示す断面図である。
【図８】スイッチ手段の作動状態を示す概略図である。
【図９】スイッチ手段の作動状態を示す概略図である。
【図１０】スイッチ手段の作動状態を示す概略図である。
【図１１】図１におけるXI−XI線断面図である。
【図１２】弱制動器による制動力が最も弱く調整された状態を示す断面図である。
【符号の説明】
【００２９】
１００  リールケース
１１  第１の制動手段
１２  第２の制動手段
１２１  制動ゴム
１４０  皿部
１６０  ばね収容部
２０  調整手段
２００  軸棒
２２  調整ボリューム
２２２  歯車
２４  カム
２４３  凹陥部
２４４  歯
２４５  カム面
２５  取付台
２５１  突起
２７  制動調整ばね
２８  カムばね
２９  収容手段
２９０  締め釘
２９１  プレート部
２９２  内フェンス部
２９３  外フェンス部
２９４  孔
２９５  固定ナット
３０  係合手段
３００  強制動器
３１  外端面
３２  操作部
３３  第１の係合部
３３１  歯
３４  第２の係合部
３４１  歯
３５  キャップ部
３６  緩衝ばね
３７  戻しばね
３８  軸受け
４００  弱制動器
５０  スイッチ手段
５００  スプール
５１  スイッチブロック
５１１  大径部
５１２  小径部
５１３  段差
５２  回転板
５２  回転板
５２１  通孔
５２２  突起
５３  リングスイッチ
５３１  押動ブロック
５３２  ガイド溝
５４  回転ばね
【図１】
2009159953.tif 000003
【図２】
2009159953.tif 000004
【図３】
2009159953.tif 000005
【図４】
2009159953.tif 000006
【図５】
2009159953.tif 000007
【図６】
2009159953.tif 000008
【図７】
2009159953.tif 000009
【図８】
2009159953.tif 000010
【図９】
2009159953.tif 000011
【図１０】
2009159953.tif 000012
【図１１】
2009159953.tif 000013
【図１２】
2009159953.tif 000014